(57)【要約】【課題】有期限ディスクの利点を生かしつつ、ユーザの経済的負担や環境悪化の問題も解消した光ディスクを提供する。【解決手段】保護膜２４は、鍵データ領域１３を除く光ディスク１０の全面に亘り形成されている。この保護膜２４は、光透過率が高く、且つ酸素や水分を含む雰囲気中等に長時間置かれても変性しない。一方、変性保護膜２５は、鍵データ領域１３の上方のみに形成されている。この変性保護膜２５は、ディスクの真空包装の開封後所定の時間は高い透過率を有するが、その所定時間経過後は酸化等による変性により透過率が低下する。所定時間の経過後は、変性保護膜２４の透過率が低下し、鍵データ領域１３に記録されている暗号化タイトル鍵データＫｔの読み取りが不可能になる。【選択図】図１
2007115372.tif 000002
【特許請求の範囲】
【請求項１】
所定の暗号化鍵データにより暗号化されたコンテンツデータを記憶するデータ領域と、
前記暗号化鍵データを記憶する鍵データ領域と
を備え、
前記鍵データ領域は、所定時間経過後にその記憶データが読み出し不能となるように構成され、
前記データ領域は、前記鍵データ領域が読み出し不能となった後も引き続きデータの読み出しが可能なように構成されている
ことを特徴とする光ディスク。
【請求項２】
データを追記可能な追記領域を更に備えた請求項１記載の光ディスク。
【発明の詳細な説明】
【技術分野】
【０００１】
本発明は、光ディスクに関し、特にコンテンツデータを暗号化して格納するよう構成された光ディスクに関する。
【背景技術】
【０００２】
光ディスク例えばＤＶＤに映画などのコンテンツデータを格納して販売する所謂「売り切り」形態の場合、その販売価格は著作権保護等の観点から高価格になる傾向にあり、ＤＶＤソフトウエア市場の規模拡大の障壁の１つとなっている。レンタル店においてＤＶＤのレンタルを行うのみであれば、ユーザとしては出費を抑えて映画鑑賞が可能となるが、この場合、ＤＶＤを数日後に返却に行かねばならず、これがユーザにとっては面倒なことであった。
【０００３】
こうした観点から、ディスクを真空包装から開封した後、数十時間の視聴が可能であり、その後はディスクが酸化しデータ読み取り不能となるディスク（以下、この明細書において「有期限ディスク」という）が、実用化されている。その構成は、例えば特許文献１等にも記載されている。このような有期限ディスクによれば、ユーザはレンタルする場合と大差ない金額でディスクを購入することができ、しかも視聴後はディスクを返却に行く必要も無いというメリットがある。コンテンツ販売業者としても、データの寿命が短いことを理由に著作権料の支払いを抑えることができ、低廉な価格で販売することが可能となる。
【０００４】
しかし、このような有期限ディスクでは、視聴後、面白かったから再度視聴したい、或いは繰り返し見たい、とユーザが思っても、そのときにはコンテンツデータは消滅している。再度そのコンテンツを見たい場合、ユーザは通常の売り切りＤＶＤを購入するなどしなければならない。この場合、有期限ディスクの購入金はいわば二重払いになり、ユーザの経済的負担は却って大きくなってしまう。また、データ消滅後の有期限ディスクは、リサイクル等が適切に行われなければゴミとして廃棄されることとなり、環境悪化の原因となり得る。
【特許文献１】米国特許公報第６５３７６３５号
【発明の開示】
【発明が解決しようとする課題】
【０００５】
この発明は、有期限ディスクの利点を生かしつつ、ユーザの経済的負担や環境悪化の問題も解消した光ディスクを提供することを目的とする。
【課題を解決するための手段】
【０００６】
この発明の一態様に係る光ディスクは、所定の暗号化鍵データにより暗号化されたコンテンツデータを記憶するデータ領域と、前記暗号化鍵データを記憶する鍵データ領域とを備え、前記鍵データ領域は、所定時間経過後にその記憶データが読み出し不能となるように構成され、前記データ領域は、前記鍵データ領域が読み出し不能となった後も引き続きデータの読み出しが可能なように構成されていることを特徴とする。
【発明の効果】
【０００７】
この発明によれば、有期限ディスクの利点を生かしつつ、ユーザの経済的負担や環境悪化の問題も解消した光ディスクを提供することが可能となる。
【発明を実施するための最良の形態】
【０００８】
以下、本発明の実施形態について図面を参照しながら説明する。図１を参照して、本発明の実施の形態の光ディスク１０の構造を説明する。図１上は光ディスク１０の平面図であり、図１下はディスク中心付近の断面図である。
【０００９】
この光ディスク１０は、データ領域１１と、リードイン領域１２と、鍵データ領域１３とを備えている。データ領域１１は、タイトル鍵Ｋｔで暗号化されたコンテンツデータＥｎｃ（Ｋｔ：Ｃ）が格納される領域である。また、リードイン領域１２は、ＭＫＢ（Master Key Block）、及びメディアＩＤ、その他ディスクの読み書きの方式に関するデータを格納する領域である。メディアＩＤは、リードイン領域１２中の例えば最内周の、書き換え不能な領域に格納されている。このＭＫＢ及びメディアＩＤにより、タイトル鍵Ｋｔが暗号化及び復号化される。鍵データ領域１３は、上記のようにして暗号化されたタイトル鍵Ｋｔが格納される領域である。
【００１０】
この光ディスク１０の断面構造を図１下を参照して説明する。この光ディスク１０は、プラスチック基板２１と、このプラスチック基板２１上に形成される反射層２２と、シアニン系等の有機色素材料からなり反射層２２上に形成される記録層２３と、記録層２４上に形成される保護膜２４と、変成保護膜２５とから構成される。この光ディスク１０は、酸素や水分等を含む外気に触れないよう図示しない真空包装を施されて出荷・販売される。記録層２３は、領域毎に、それぞれ前述のデータ領域１１、リードイン領域１２及び鍵データ領域１３として機能する。
【００１１】
保護膜２４は、鍵データ領域１３を除く光ディスク１０の全面に亘り形成されている。この保護膜２４は、光透過率が高く、且つ酸素や水分を含む雰囲気中等に長時間置かれても変性しない材料、例えばポリカーボネイト等により形成される。一方、変性保護膜２５は、鍵データ領域１３の上方のみに形成されている。この変性保護膜２５は、前述した真空包装の開封後所定の時間、例えば数十時間は高い透過率を有するが、その所定時間経過後は酸化等による変性により透過率が低下する材料、例えばポリアクリレート等から構成される。変性保護膜２５はこれ以外にも、大気中の酸素や水分と反応して透過率が低下する物質であれば、様々なものが利用可能である。
【００１２】
以上の構成によれば、光ディスク１０の真空包装を開封後、所定時間の経過前は、変性保護膜２４の透過率が高く、このため鍵データ領域１３のＤＶＤプレーヤ等による読み取りが可能である。従って、データ領域１１のコンテンツデータの復号、再生も可能である。
【００１３】
しかし、所定時間の経過後は、変性保護膜２４の透過率が低下し、鍵データ領域１３に記録されている暗号化タイトル鍵データＫｔの読み取りが不可能になる（図２参照）。これにより、データ領域１１に格納された暗号化コンテンツデータＥｎｃ（Ｋｔ：Ｃ）の復号化及び再生も不可能になる。このようにして、本実施の形態の光ディスク１０は、有期限ディスクとして販売することができるので、販売価格を抑えることができる。
【００１４】
更にこの実施の形態の場合、次のような利点がある。即ち本実施の形態の光ディスク１０では、暗号化タイトル鍵データＫｔが読み取り不能となった後も、データ領域１１に記録されている暗号化コンテンツデータＥｎｃ（Ｋｔ：Ｃ）は読み取り可能であり、タイトル鍵データＫｔさえ別ルート等で入手されれば、復号化及びコンテンツデータの再生も可能である。コンテンツ提供業者等は、例えばインターネットの音楽配信サイト等を通じて、このような開封して所定時間経過後の光ディスク１０を有するユーザに対し、タイトル鍵データＫｔを再度有料で販売することができる。ユーザは、この購入したタイトル鍵データＫｔを保存することにより、このような所定時間経過後の光ディスク１０に基づき、暗号化されたコンテンツデータを復号化して再度視聴できるようにすることができる。すなわち、本実施の形態の光ディスク１０によれば、コンテンツデータを低廉な価格で頒布できるという有期限ディスクのメリットを生かしつつ、所定時間経過後にディスク１０中に残っているコンテンツデータを、ユーザの意思次第で再度利用することができるので、無用な経済的負担を抑え、また資源の無駄を防止することができる。
【００１５】
以上、発明の実施の形態を説明したが、本発明はこれに限定されるものではなく、発明の趣旨を逸脱しない範囲内において様々な変更、置換及び追加等が可能である。例えば、図３に示すように、データを追記可能な追記領域１４を追加してもよい。このような追記領域１４を設けることにより、ユーザがタイトル鍵データＫｔを上記のように購入した場合に、これを追記領域１４に書き込むことができる。この追記領域１４に格納されたタイトル鍵データＫｔを用いて、コンテンツデータを開封直後と同様に復号化・再生することが可能となる。
【００１６】
また、上記の実施の形態では、鍵データ領域１３となる記録層２３の上方に変成保護膜２５を形成することにより、所定時間経過後タイトル鍵データを読み取り不能としているが、これに限らず、例えば鍵データ領域１３が形成される記録層自体が、所定時間経過後に酸化等により変成する材料で構成してもよい。
【図面の簡単な説明】
【００１７】
【図１】本発明の実施の形態に係る光ディスク１０の構造を示す。
【図２】本実施の形態の光ディスクの作用を説明する。
【図３】本発明の実施の形態の変形例に係る光ディスク１０の構造を示す。
【符号の説明】
【００１８】
１０・・・光ディスク、  １１・・・データ領域、  １２・・・リードイン領域、  １３・・・鍵データ領域、  １４・・・追記領域  ２１・・・プラスチック基板、２２・・・反射層、２３・・・記録層、  ２４・・・保護膜、  ２５・・・変成保護膜。
【図１】
2007115372.tif 000003
【図２】
2007115372.tif 000004
【図３】
2007115372.tif 000005